(57)【要約】【課題】着脱可能である上に軽量で止水性を備え、洗浄作業が容易である。【解決手段】カウンターは、浴室の第１壁面に固定したブラケットに着脱可能に装着した。カウンターは載置面８ａを備えた天板８と、天板８の外周面２４の内側に全周に亘って水密に嵌合された底板９とを備えた。天板８の外周面２４の内側部分に設けた階段状の第一段付き部２０と底板９の外周面部２１に設けた第二段付き部２２とが接着剤２３を挟んで嵌合し、全周に亘って水密に結合されている。天板８と底板９は嵌合構造であるため内部に中空部を有していて軽量であり、ブラケットから取り外して丸洗い洗浄できる。【選択図】図８
2018051119.tif 000002
【特許請求の範囲】
【請求項１】
浴室の壁面に着脱可能に装着したカウンターであって、
載置面を備えた天板と、
前記天板の外周面の内側に全周に亘って水密に嵌合された底板とを、
備えたことを特徴とするカウンター。
【請求項２】
前記天板の外周面の内側と前記底板の外周面部とが接着によって嵌合されている請求項１に記載されたカウンター。
【請求項３】
前記天板の外周面の内側に設けた第一段付き部と、前記底板の外周面部に設けた第二段付き部とが接着剤を介して全周に亘って結合されている請求項１または２に記載されたカウンター。
【請求項４】
浴室の壁面に着脱可能に装着したカウンターであって、
載置面を有する天板及び底板が前側縁部を介して一体に形成された本体部と、
前記本体部の背面側に取り付けられた背板部とを備え、
前記本体部と背板部が全周に亘って水密に嵌合されていることを特徴とするカウンター。
【発明の詳細な説明】
【技術分野】
【０００１】
本発明は、例えば浴室等の壁面に取り付けられるカウンターに関する。
【背景技術】
【０００２】
従来、浴室内の壁面には、石鹸やシャンプー等の小物を置いたり入浴者が載置したりするためのカウンターが取り付けられていることが多い。着脱式のカウンターは例えばねじを締め込んで壁面に固定されており、ねじ頭が突出しないようにカウンターの表面に形成された凹部内に設けられている。このようなカウンターはねじ頭部を収納した凹部内に水垢等が付着し易く、凹部であるために掃除がしずらかった。
【０００３】
また、特許文献１に記載されたカウンターは、カウンターの裏面に、壁面に固定した金具に嵌合する係止突部と前板の上面に設けたばね部材を係止させる凹部とを設けて、着脱可能に設置している。
【先行技術文献】
【特許文献】
【０００４】
【特許文献１】実公平４−２６０７６号公報
【発明の概要】
【発明が解決しようとする課題】
【０００５】
しかしながら、特許文献１に記載されたカウンターは中実構造であるため重量が大きく着脱作業や掃除などための取り扱いに手間がかかるという欠点があった。しかも、カウンターの裏面に係止突部や凹部を形成しているため、掃除の作業が面倒であった。
【０００６】
本発明は、このような課題に鑑みてなされたものであって、着脱可能である上に軽量で止水性を備え、洗浄作業が容易なカウンターを提供することを目的とする。
【課題を解決するための手段】
【０００７】
本発明によるカウンターは、浴室の壁面に着脱可能に装着したカウンターであって、載置面を備えた天板と、天板の外周面の内側に全周に亘って水密に嵌合された底板とを備えたことを特徴とする。
本発明に係るカウンターによれば、天板の外周面の内側に底板を嵌合して全周に亘って水密に形成したため、壁面に取り付けた状態で湯や水が天板から流れ落ちても天板と底板の継ぎ目から内部に浸入しない。しかも、天板と底板は嵌合構造であるため内部に中空部を有していて軽量である上に、カウンターは着脱可能であるために浴室の壁面から取り外して丸洗い等の洗浄作業を容易に行える。
【０００８】
また、天板の外周面の内側部分と底板の外周面部とが接着によって嵌合されていることが好ましい。
接着によって天板の外周面の内側部分と底板の外周面部とを嵌合したため、ねじ固定等の場合と比較してねじ頭部を着座させる凹部等が不要であり、しかも底板の外周面部を天板の外周面の内側に嵌合したため水密性を確保できる。
【０００９】
また、天板の外周面の内側に設けた第一段付き部と、底板の外周面部に設けた第二段付き部とが接着剤を挟んで全周に亘って結合されていることが好ましい。
天板と底板は第一段付き部と第二段付き部とを接着剤を挟んで結合したため、全周に亘って確実に水密性を確保できる。
【００１０】
本発明によるカウンターは、浴室の壁面に着脱可能に装着したカウンターであって、載置面を有する天板及び底板が前側縁部を介して一体に形成された本体部と、本体部の背面側に取り付けられた背板部とを備え、本体部と背板部が全周に亘って水密に嵌合されていることを特徴とする。
本発明に係るカウンターによれば、本体部と背面部を全周に亘って水密に嵌合したため、湯や水が嵌合の継ぎ目から内部に浸入しない。しかも、カウンターは中空で軽量であり、浴室の壁面から取り外して丸洗い洗浄等を行える。
【発明の効果】
【００１１】
本発明に係るカウンターによれば、天板の内側に底板を嵌合し、または本体部に背面部を嵌合して全周に亘って水密に形成したため、使用状態で湯や水が天板から流れ落ちても嵌合部を介してカウンターの内部に浸入することがなく水密性を確保できる。しかも、天板と底板の嵌合構造であるため内部に中空部を有していて軽量であり、浴室の壁面から取り外して丸洗い等の洗浄作業を容易に行える。
【図面の簡単な説明】
【００１２】
【図１】本発明の第一実施形態による浴室の要部斜視図である。
【図２】浴室の側壁に取り付けられたカウンターとブラケットの斜視図である。
【図３】図２に示すカウンターとブラケットの正面図である。
【図４】カウンターの取り付け工程を示す部分説明図であり、（ａ）は取り付けた状態の図、（ｂ）は更に水平方向にスライドさせて固定した状態を示す図である。
【図５】カウンターを示す図であり、（ａ）は平面図、（ｂ）は裏面図である。
【図６】カウンターの側面図である。
【図７】図３に示すカウンターとブラケットの嵌合状態を示すＡ−Ａ線断面図である。
【図８】図７におけるカウンターの天板と底板の嵌合構造を示すものであり、（ａ）はＢ部拡大図、（ｂ）はＣ部拡大図である。
【図９】ブラケットの斜視図である。
【図１０】カウンターとブラケットの嵌合構造を示す背面側斜視図である。
【図１１】図７におけるカウンターとブラケットの嵌合状態を示す拡大断面図であり、（ａ）は嵌合前の係り始め位置の図、（ｂ）は嵌合状態の図である。
【図１２】変形例によるカウンターとブラケットの嵌合状態を示す拡大断面図である。
【図１３】第二実施形態によるカウンターの嵌合構造を示す部分断面図である。
【図１４】第三実施形態によるカウンターとブラケットを背面側から見た斜視図である。
【図１５】図１４のＤ−Ｄ線断面図である。
【図１６】図１５に示す本体部と背面部の接合構造の拡大図である。
【図１７】カウンターの背面部を示す図である。
【発明を実施するための形態】
【００１３】
以下、本発明の実施形態によるカウンター１を添付図面によって説明する。
図１乃至図１１は第一実施形態による浴室Ｓのカウンター１を示している。図１に示す浴室Ｓは底面に床パネルからなる洗い場２と浴槽３を設置し、底面を囲う四面の側壁において、正面の第１壁面４とその両側側壁をなす第２壁面５、第３壁面６とを備え、第１壁面４に対向する開口を有する第４壁面の図示は省略されている。側壁の上部に図示しない天井パネルを備えている。
浴室Ｓの正面の第１壁面４には浴槽３に隣接してカウンター１が着脱可能に設定されている。カウンター１の上部にはシャワー１０が設置され、シャワー１０のホース取付部には湯量と湯の温度を調整するハンドル等が取り付けられている。
【００１４】
図２乃至図４において、第１壁面４には１または複数のブラケット７が同一高さで所定間隔に設置され、このブラケット７の上部にカウンター１が着脱可能に装着されている。カウンター１は載置面８ａを備えた天板８とカウンター１を把持して持ち上げ可能な凸曲部９ａを裏面に設けた底板９とが互いに嵌合されて接着などで一体化されている。天板８の載置面８ａ上には、石鹸やかみそり、洗面器等の物品を載置可能とされている。
天板８と底板９は例えばそれぞれ凹陥部形状を有しており、互いに対向させて嵌合した状態で内部に中空部を有する。また、天板８と底板９はその一方を凹陥部形状とし、他方を略平板の蓋状に形成してもよく、いずれにしても嵌合状態で中空部を有していることが好ましい。或いは、天板８と底板９の両方を略板状に形成してもよい。
【００１５】
カウンター１は、例えば正面の第１壁面４に直交する第２壁面５と浴槽３のエプロン３ａとの間に配置されている。第２壁面５には着脱時のカウンター１の側部を受ける例えば一対のステー部１１が設置されている(図２、図４参照)。
カウンター１は第１壁面４に所定間隔で固定された複数、例えば３基のブラケット７上に支持されている。カウンター１の一方の側部は浴槽３のエプロン３ａに設けた受け部(図示せず)に当接させられ、他方の側部は図４に示すように第２壁面５に設けたステー部１１との間にわずかな間隙が形成されている。図４（ｂ）において、ステー部１１上の間隙にロックスペーサ１３を嵌合することでカウンター１は位置決め保持される。
【００１６】
次にカウンター１の構造について説明する。
図２〜図８に示すように、カウンター１は天板８と底板９とが互いに嵌合して形成されている。天板８は物品を載置可能な載置面８ａが第１壁面４側から洗い場２に臨む前側縁部１５に向けて緩い水勾配を有する略水平面を形成している。
天板８の載置面８ａは、図１及び図５に示すように、上面から見て第１壁面４側の奥側縁部１６が第１壁面４に沿って直線状に延び、奥側縁部１６に対向する前側縁部１５が略Ｓ字状を描くように形成され、奥行き方向の幅が長手方向に沿って曲線状に変化している。カウンター１の両側部の側部縁部１７ａ、１７ｂは平行な直線状に形成されている。
【００１７】
図５に示す例では、カウンター１は第２壁面５側の部分が幅広に形成されて物品等の載置面積を確保し、浴槽３側に向かう部分が次第に幅が小さくなる幅狭に形成され、入浴者の浴槽３からの出入り空間を大きくしている。また、シャワー１０に近づき易くなるため全身シャワーを行いやすい。図２及び図５において、天板８の載置面８ａの幅広部には、奥側縁部１６側から前側縁部１５に向けて次第に幅広になるガイド溝１２が形成されている。このガイド溝１２によって、幅広の部分に付着する湯や水を流し易く、しかも手で把持する際にガイド溝１２に手を引っ掛けて持ちやすく滑りにくい上にデザイン性が高い。
天板８は、載置面８ａの周縁部が載置面８ａに対して凸曲面を形成して略垂直に落ち込んで形成された前側縁部１５と奥側縁部１６と側部縁部１７ａ、１７ｂとで全周が形成されている。
【００１８】
図５及び図６に示すように、天板８の裏面に形成された底板９はその前側縁部１５に沿って凸曲部９ａが裏面に形成されている。凸曲部９ａは前側縁部１５に沿ってＳ字状に湾曲して形成されており、全長に亘って同一高さであることが好ましい。図６及び図７に示すように、凸曲部９ａはその前面側が断面凸曲線状をなす凸曲面９ｂに形成され、背面側は断面凹曲線状をなす凹曲面９ｃに形成されている。しかも凹曲面９ｃは急峻に立ち上がっている。
そのため、凸曲部９ａは手の親指で凸曲面９ｂを他の４本指で凹曲面９ｃを把持し易く、例えばカウンター１をブラケット７から外す際に凸曲部９ａを掴み易い。
【００１９】
図７及び図１１に示すカウンター１の断面図において、カウンター１の奥側(後方側)である第１壁面４側に形成された天板８の奥側縁部１６は、載置面８ａから上方に隆起して湾曲し、下方の背面部１６ｃに垂下させる凸曲面形状を有している。奥側縁部１６の下端部には段差部１６ａを介して前側に係合部１４が下方に突出して形成されており、係合部１４は後述するブラケット７の第二係止溝２８に嵌合可能とされている。奥側縁部１６の下方に設けた底板９では、下方に突出する突起部１８が形成されている。図に示す例では、底板９の裏面は前面側の凸曲部９ａから凹曲面状に上方に湾曲して後方側の突起部１８で凸曲部９ａよりも下方に突出している。
図６に示すように、突起部１８の背面側にはカウンター１をブラケット７に係合するためのロック片１９が突出して形成されている。ロック片１９は例えば断面略逆Ｕ字状の突出部材であり、第１壁面４へのブラケット７の固定位置に対応して所定間隔で複数、例えば３個設置されている。
【００２０】
図７に示す天板８の下面側には、前側縁部１５及び側部縁部１７ａ、１７ｂの外周面内側と奥側縁部１６の内側で下方に延びる外周面２４の内側に全周に亘って例えば階段状の第一段付き部２０が形成されている。この第一段付き部２０に底板９の上側に設けた外周面部２１が全周に亘って嵌合しており、外周面部２１の上端部の全周に亘って第一段付き部２０に嵌合する例えば階段状の第二段付き部２２が形成されている。
図８（ａ）、（ｂ）は図７のＢ部、Ｃ部の拡大図である。底板９の外周面部２１は天板８の前側縁部１５及び側部縁部１７ａ、１７ｂの内側と奥側縁部１６の外周面２４の内側に嵌合され、しかも天板８の第一段付き部２０と底板９の第二段付き部２２とが接着剤２３によって全周に亘って接着・シールされている。或いは、第一段付き部２０と第二段付き部２２は接着剤に代えてパッキン等のシール部材を介して全周に亘って水密にシールされて嵌合されていてもよい。
【００２１】
次にカウンター１とブラケット７との嵌合構造について図９及び図１０に沿って説明する。
図９は浴室Ｓの第１壁面４にねじ等で固定されるブラケット７であり、ブラケット７は側面視略Ｌ字状に形成されている。ブラケット７は上下に延びるブラケット本体７ａの下端部にカウンター１の底板９に形成された突起部１８を受ける第一係止溝２５が断面略Ｕ字状に形成されている。第一係止溝２５はカウンター１の突起部１８が当接する溝底がその長手方向に沿って上方に向けて凸曲面状に形成されていることが好ましい。
【００２２】
図９及び図１０において、ブラケット本体７ａの高さ方向中間部にはカウンター１の背面のロック片１９と係合可能な係止受け部２６が突出して形成されている。係止受け部２６はカウンター１の設置位置に応じて左右両側から係合可能とされ、その中央にストッパー部２６ａが下方に突出している。そのため、ブラケット７に対してカウンター１を左右いずれかの方向からスライドさせて係合する際、ロック片１９がブラケット本体７ａの係止受け部２６に沿って圧接して進入し、所定位置でストッパー部２６ａに当接して停止することになる。
【００２３】
ブラケット本体７ａの上部には嵌め込み部材２７が装着または固定されており、嵌め込み部材２７の上端部には係止部として第二係止溝２８が形成されている。この第二係止溝２８にはカウンター１の天板８の奥側縁部１６の下方に形成された係合部１４が嵌合可能とされている。第二係止溝２８においても、その溝底の長手方向に沿って凸曲面が形成されていることが好ましい。
図１０に示すように、所定間隔で設置された複数のブラケット７の上下に設けた第一係止溝２５と第二係止溝２８に対して、カウンター１の突起部１８と係合部１４がスライドするように直線状に連続してそれぞれ形成されている。これに対して、カウンター１の背面に設けたロック片１９はブラケット７に対応して複数個形成され、スライドするカウンター１はロック片１９がブラケット７の係止受け部２６に圧接されてストッパー部２６ａに当接することで位置決めされる。
【００２４】
次に、図１１に示すカウンター１の係合部１４と第１壁面４に固定したブラケット７の第二係止溝２８との嵌合構造において、同図（ａ）はカウンター１の係合部１４が第二係止溝２８の入口である係り始めの位置にある状態を示し、（ｂ）は係合部１４と第二係止溝２８の嵌合状態を示している。ブラケット７の第二係止溝２８の第１壁面４側に当接受け部２７ａが上方に突出して形成され、カウンター１の奥側縁部１６の外側の背面部１６ｃには、係合部１４の上部に当接受け部２７ａに対向する段差部１６ａが形成されている。ブラケット７の嵌め込み部材２７は第二係止溝２８の内側に略凸曲面状の隆起部２７ｂを備えており、カウンター１の係合部１４を第二係止溝２８に嵌合する際に、係合部１４が隆起部２７ｂを乗り越えて第二係止溝２８の入口である係り始め部に誘導される。
【００２５】
本実施形態では、奥側縁部１６の背面部１６ｃは段差部１６ａと交差する角部の当接部１６ｂが最も第１壁面４側に突出している。そのため、カウンター１の係合部１４をブラケット７の第二係止溝２８に装着する際、当接部１６ｂが第１壁面４に接触して擦過する可能性がある。しかも、カウンター１とブラケット７は例えば合成樹脂で製造されており、射出成形時に上下の金型のずれによってパーティングラインが生じることがある。
この場合、パーティングラインは例えば奥側縁部１６の背面部１６ｃと段差部１６ａとの角部である当接部１６ｂに生じ易い。パーティングラインがなくても、カウンター１の反りや変形等によって当接部１６ｂが第１壁面４側に最も突出していることがある。
【００２６】
当接部１６ｂが第１壁面４を擦過すると傷が第１壁面４に生じてしまい、入浴者等が目視できると外観上の見栄えが悪いという問題が生じる。一方、当接部１６ｂのスライドによって第１壁面４に傷がついても、カウンター１の奥側縁部１６の背面側に隠れる場合には入浴者等は傷を目視できない。
本実施形態によるカウンター１の取付構造では、図１１（ａ）において、カウンター１の係合部１４の先端がブラケット７の第二係止溝２８に係り始める当接受け部２７ａの上端入口にある点を基準として、当接部１６ｂが降下して第二係止溝２８に嵌合する（図１１（ｂ）の位置）までの距離をカウンター１のスライド距離Ｌとする。また、奥側縁部１６の当接部１６ｂから頂部までの高さをＭとする。スライド距離Ｌが高さＭより大きい場合には第１壁面４に生じた当接部１６ｂの傷を目視可能であるが、スライド距離Ｌが高さＭより小さい場合には第１壁面４に生じた傷はカウンター１の奥側縁部１６に隠れて見えない。
【００２７】
そのため、本実施形態では、カウンター１について、
当接部１６ｂからの高さＭ>スライド距離Ｌ    …（１）
に設定した。なお、当接部１６ｂのスライドの始点をブラケット７の当接受け部２７ａより高い位置または低い位置にとったとしてもスライド距離Ｌが変化するので同様の結果を生じるが、スライド距離Ｌが長くなるとカウンター１の当接部１６ｂから頂部までの高さＭを超えてしまうので第１壁面４上の傷を隠しきれなくなる欠点が生じる。
なお、本実施形態においては、図７に示すようにカウンター１の突起部１８がブラケット７の第一係止溝２５に着座した状態で奥側縁部１６の係合部１４と段差部１６ａは第二係止溝２８と当接受け部２７ａに対して所定の間隙が形成されているが、当接していてもよい。
【００２８】
本実施形態による浴室Ｓのカウンター１は上述した構成を備えており、次に第１壁面４へのカウンター１の取り付け方法について説明する。
先ず、浴室Ｓの第１壁面４に複数のブラケット７をねじ等で所定間隔に平行に固定する。カウンター１を第２壁面５側に寄せて第１壁面４側に押し込んだ後に下方にスライドする。すると、図７に示すようにカウンター１の奥側縁部１６の下方に設けた突起部１８を各ブラケット７の第一係止溝２５に嵌合すると共に奥側縁部１６の係合部を第二係止溝２８に嵌合させる。このとき、奥側縁部１６の当接部１６ｂが第１壁面４に接触し擦過して傷つける可能性があるが、この点については後述する。
【００２９】
この状態で、図４（ａ）に示すように、カウンター１は右端部が第２壁面５に固定したステー部１１に着座しており、ブラケット７上の正規の固定位置からずれている。しかも、カウンター１の背面に設けたロック片１９はブラケット７の係止受け部２６から外れている。
そして、カウンター１を浴槽３側にスライドさせると、図１０に示すように、カウンター１は下端部の突起部１８がブラケット７の第一係止溝２５に沿ってスライドし、上端部の奥側縁部１６の係合部１４が第二係止溝２８に沿って水平方向にスライドする。カウンター１の背面に設けたロック片１９もスライドして、ブラケット本体７ａの係止受け部２６の下側に挿入されて互いに当接される。
【００３０】
しかも、第一係止溝２５と第二係止溝２８を凸曲面形状に形成したことで、カウンター１はスライドしながら上方にわずかに押し上げられ、係止受け部２６にロック片１９が圧接される。そして、ロック片１９がストッパー部２６ａに当接して位置決めされる。これと同時に、カウンター１の他方の端部は浴槽３のエプロン３ａの側面に設けた受け部(図示せず)に当接する。この状態で、図４（ｂ）に示すように、カウンター１の右端部とステー部１１との間にロックスペーサ１３を嵌合させることで、カウンター１は第１壁面４に固定される。
なお、カウンター１を第１壁面４から取り外すには、上述の動作と逆の動作をすればよい。取り外した状態で、カウンター１を丸洗い洗浄等できる。
【００３１】
つぎに、上述したカウンター１をブラケット７に装着する動作について、図１１により詳細に説明する。図１１（ａ）において、カウンター１を第２壁面５と第１壁面４側に押し付けてブラケット７に降下させる際、カウンター１の奥側縁部１６を第１壁面４に押し付けて降下させる。降下の係り始めに際し、係合部１４はブラケット７の隆起部２７ｂを乗り越えて第二係止溝２８の入口とほぼ同一直線状に位置し、カウンター１の奥側縁部１６の背面部１６ｃの最も第１壁面４側に突出する当接部１６ｂは第１壁面４に接触する。
【００３２】
カウンター１を下方に降下させると当接部１６ｂで第１壁面４を擦過しながら、突起部１８が第一係止溝２５に押し込まれ、係合部１４が第二係止溝２８内にスライドして押し込まれる。カウンター１の下端部の突起部１８が第一係止溝２５に着座した時点で奥側縁部１６が停止し、係合部１４と第二係止溝２８の溝底との間にわずかな間隙が残る。この状態で、第１壁面４に当接部１６ｂの擦過による傷が残ったとしても、奥側縁部１６のスライド距離Ｌは当接部１６ｂから頂部までの高さＭより小さいので、傷はカウンター１の奥側縁部１６の背面側に隠れて入浴者等から見えない。
また、カウンター１を上述の動作と逆の手順で移動させることで取り外しができる。取り外したカウンター１は汚れやカビ等が付着していた場合でも丸洗い洗浄することができる。しかも、カウンター１は、カウンター１の天板８と底板９とが全周に亘って第一段付き部２０と第二段付き部２２とで接着剤２３によって固着されて水密性があり、しかも中空であるため軽量である。そのため、カウンター１の着脱動作と洗浄作業が容易である。
【００３３】
上述したように、本実施形態によるカウンター１によれば、天板８の外周面２４の内側に底板９の外周面部２１を嵌合し、しかも全周に亘って第一段付き部２０と第二段付き部２２とを接着剤２３を介して嵌合させて水密に固着した。そのため、カウンター１を第１壁面４への取り付け状態で湯や水が天板８から流れ落ちたり、ブラケット７から取り外した状態で丸洗い洗浄等したとしても、底板９との嵌合部を介して湯や水がカウンター１の内部に浸入することがない。
しかも、カウンター１は天板８と底板９の嵌合構造であるため内部に中空部を有していて軽量であり、ブラケット７との着脱動作や丸洗い等の洗浄作業を容易に行える。
【００３４】
なお、本発明によるカウンター１は上述した実施形態に限定されるものではなく、本発明の趣旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００３５】
例えば、奥側縁部１６の当接部１６ｂは必ずしも段差部１６ａと奥側縁部１６の背面部１６ｃとの交差部でなくてもよい。例えばパーティングライン等が背面部１６ｃの高さ方向途中に形成されて最も第１壁面４側に突出する場合、この部分がカウンター１の着脱時に第１壁面４を擦過し得る当接部１６ｂとなる。
この場合でも、奥側縁部１６の当接部１６ｂから頂部までの高さＭが係り始めからのスライド距離Ｌより大きければ、第１壁面４に生じる傷は露出しない。
【００３６】
図１２は第一実施形態によるカウンター１の取付構造の変形例を示すものである。
図１２において、カウンター１の奥側縁部１６は係合部１４がブラケット７の第二係止溝２８内に嵌合した状態で、背面部１６ｃと第１壁面４との間にわずかな間隙ｔが形成されている。
そのため、本変形例では、カウンター１をブラケット７に着脱する場合、奥側縁部１６の係合部１４がブラケット７の第二係止溝２８に対する係り始めから第二係止溝２８内に嵌合するまでの間、第１壁面４に接触し擦過して傷をつけることを防止できる。
【００３７】
次に図１３は本発明の第二実施形態によるカウンター１を示すものであり、天板８と底板９との嵌合構造を示している。図１３において、天板８の奥側縁部１６の下側に延びて形成された外周面２４に爪部３１が形成され、底板９の外周面部２１には断面略凹部形状の爪受け部３２が形成されている。爪部３１は天板８の外周面２４の全周に形成され、爪受け部３２は底板９の外周面部２１の全周に形成されている。
そして、天板８と底板９を嵌合させた際、底板９の外周面部２１が天板８の外周面２４の内側に嵌合し、しかも爪部３１と爪受け部３２が互いに当接して弾性変形した後に爪受け部３２の凹部に爪部３１が嵌合する。その際、爪受け部３２の凹部の部分に接着剤２３またはシール部材を介在させることで、全周に亘って水密にシールして結合し一体化できる。
【００３８】
次に本発明の第三実施形態によるカウンター１Ａを図１４〜図１７により説明する。
図１４は第三実施形態によるカウンター１Ａとブラケット７Ａとの斜視図であり、カウンター１Ａは載置面３５ａを備えた天板３５と裏面側の底板３６とが前側縁部３７を介して断面視略Ｕ字状に一体形成された本体部３８を有している。載置面３５ａには段差３５ｂが形成され、背面側よりも前側縁部３７側が低く形成されている。本体部３８の両側部に側板部４０が形成され、背面側には開口３９が形成されている。この本体部３８の開口３９を密閉するように背板部４１が嵌合されている。
図１５〜図１７において、背板部４１の第１壁面４側にはその下部に側面視略Ｌ字状をなす下向きの第一係合部４２が突出形成され、上部には側面視略Ｌ字状をなす上向きの第二係合部４３が突出形成されている。第一係合部４２及び第二係合部４３は例えば図１７に示すように枠状に形成されているため変形可能である。第一係合部４２及び第二係合部４３は、背板部４１の長手方向に沿って所定間隔で複数個、図に示す例で３個形成されている。
【００３９】
また、カウンター１Ａを第１壁面４に着脱可能に取り付け支持するブラケット７Ａとして、第１壁面４との間で、第一係合部４２を係合させる第一係止溝４５ａを形成した下部支持部４５と第二係合部４３を係合させる第二係止溝４６ａを形成した上部支持部４６とを有している。下部支持部４５は第一係合部４２に対向する位置に所定間隔で例えば３個配列され、図示しないねじ等で第１壁面４に固定されている。
また、上部支持部４６は背板部４１の長手方向に沿って略直線状に段付き形状とされている。しかも、第一係合部４２、第二係合部４３、下部支持部４５の第一係止溝４５ａは水平方向の両端角部に面取り状のテーパ部ｔをそれぞれ形成している。
【００４０】
そのため、ブラケット７Ａにカウンター１Ａを係合させる際には、下部支持部４５からずれた位置に第一係合部４２が位置するように若干ずらして配置し、水平方向にスライドさせる。すると、図１４に示すように、第一係合部４２はそのテーパ部ｔで下部支持部４５のテーパ部ｔに沿って上側に移動して第一係止溝４５ａに乗り上げることで、第二係合部４３が上部支持部４６の第二係止溝４６ａに係合する。これによって、カウンター１Ａはブラケット７Ａに係合し支持される。
【００４１】
次にカウンター１Ａにおける本体部３８と背板部４１の嵌合構造について図１６を中心に説明する。
本体部３８の背面側の開口３９を形成する周縁部には階段状に切り欠いた第一段付き部２０Ａが全周に形成され、背板部４１の周縁部には第一段付き部２０Ａに嵌合する折り曲げ部が第二段付き部２２Ａが形成されている。第一段付き部２０Ａと第二段付き部２２Ａは全周に亘って接着剤２３を介して互いに水密に嵌合する。
なお、本体部３８と背板部４１の第一段付き部２０Ａ及び第二段付き部２２Ａによる嵌合構造は、上述の形状と逆の構成を備えていてもよい。例えば、背板部４１の周縁部の第二段付き部２２Ａを階段状に切欠き、この第二段付き部２２Ａに第一段付き部２０の凸部を接着剤２３を介して嵌合して水密に接合してもよい。また、第一段付き部２０Ａと第二段付き部２２Ａは接着剤２３に代えてシール部材によって水密に嵌合させてもよい。
【００４２】
なお、本発明においてブラケット７は支持部材に含まれる。また、第二係止溝２８は係止部に含まれる。また、天板８の爪部３１は第一段付き部に含まれ、底板９の爪受け部３２は第二段付き部に含まれる。
【符号の説明】
【００４３】
Ｓ  浴室
１、１Ａ  カウンター
３  浴槽
４  第１壁面
５  第２壁面
７、７Ａ  ブラケット
８、３５  天板
８ａ  載置面
９、３６  底板
９ａ  凸曲部
９ｂ  凸曲面
９ｃ  凹曲面
１４  係合部
１５、３７  前側縁部
１６  奥側縁部
１８  突起部
１９  ロック片
２０、２０Ａ  第一段付き部
２１  外周面部
２２、２２Ａ  第二段付き部
２３  接着剤
２４  外周面
２５、４５ａ  第一係止溝
２６  係止受け部
２８、４６ａ  第二係止溝
３１  爪部
３２  爪受け部
３８  本体部
４１  背板部
４２  第一係合部
４３  第二係合部
４５  下部支持部
４６  上部支持部
【図１】
2018051119.tif 000003
【図２】
2018051119.tif 000004
【図３】
2018051119.tif 000005
【図４】
2018051119.tif 000006
【図５】
2018051119.tif 000007
【図６】
2018051119.tif 000008
【図７】
2018051119.tif 000009
【図８】
2018051119.tif 000010
【図９】
2018051119.tif 000011
【図１０】
2018051119.tif 000012
【図１１】
2018051119.tif 000013
【図１２】
2018051119.tif 000014
【図１３】
2018051119.tif 000015
【図１４】
2018051119.tif 000016
【図１５】
2018051119.tif 000017
【図１６】
2018051119.tif 000018
【図１７】
2018051119.tif 000019